(57)【特許請求の範囲】
【請求項１】
撮影レンズを移動可能に有していて、撮影位置と該位置よりも本体側の繰り込み位置との間で移動する第１の鏡枠と、
上記第１の鏡枠とともに光軸方向に移動可能で、該第１の鏡枠に対して回転することにより上記撮影レンズを上記光軸方向に駆動させる第２の鏡枠と、
上記第１の鏡枠が上記撮影位置に移動した後、上記第２の鏡枠の回転により、上記カメラ本体と上記第１の鏡枠若しくは上記第２の鏡枠とが係合して上記第１の鏡枠の光軸方向の移動を規制する鏡枠位置規制手段と、
を具備したことを特徴とするカメラ。
【発明の詳細な説明】
【０００１】
【産業上の利用分野】
本発明は、カメラ、より詳しくは、撮影位置と該位置よりも本体側の繰り込み位置との間で移動可能なレンズ鏡枠を有するカメラに関する。
【０００２】
【従来の技術】
近年、カメラは小型化を要求されていて、しかも、カメラを持ち運ぶ際などには、携帯性を低下させるような突起等がカメラ本体から突出しているのはあまり望ましくないとされる傾向にある。
【０００３】
しかしながら、所定の性能を満たした撮影レンズとするためには、光軸方向にある程度の長さが要求されるために、上記小型化を満たすのは困難である。さらに、最近では高倍率ズームが好まれる傾向にあるために、撮影レンズを収納するレンズ鏡枠も一層光軸方向に長くならざるを得なかった。
【０００４】
上述のようなカメラの小型化と撮影レンズの大型化という一見相反する要求を満たすものとして、従来より、撮影を行う際にはカメラ本体から突出した撮影位置に移動し、一方、携帯時などの撮影を行わない際には上記撮影位置よりも本体側に収納された位置である繰り込み位置に移動することが可能なレンズ鏡枠を有するカメラが提案されており、これらには種々のものがある。
【０００５】
このようなものの一例としては、たとえば実開昭６１−１８８１１２号公報に、テレからワイドへズーミング動作を行う延長上でさらに該ズーミング動作を続けることにより、レンズ鏡枠が沈胴してカメラ本体内に収納されるものが記載されている。
【０００６】
【発明が解決しようとする課題】
しかしながら、上記実開昭６１−１８８１１２号公報に記載のものでは、撮影状態にあるレンズ鏡枠を、光軸前方側から例えば手などで後方側に向けて押圧すると、該レンズ鏡枠内に設けられたカム環が回転してしまうことによりズーミング動作が行われてレンズ鏡枠が沈胴してしまい、撮影が不可能な状態となることがある。
【０００７】
本発明は上記事情に鑑みてなされたものであり、撮影位置にあるときは外力を受けても光軸方向に移動することがないレンズ鏡枠を備えたカメラを提供することを目的としている。
【０００８】
【課題を解決するための手段】
上記目的を達成するために、本発明のカメラは、撮影レンズを移動可能に有していて、撮影位置と該位置よりも本体側の繰り込み位置との間で移動する第１の鏡枠と、上記第１の鏡枠とともに光軸方向に移動可能で、該第１の鏡枠に対して回転することにより上記撮影レンズを上記光軸方向に駆動させる第２の鏡枠と、上記第１の鏡枠が上記撮影位置に移動した後、上記第２の鏡枠の回転により、上記カメラ本体と上記第１の鏡枠若しくは上記第２の鏡枠とが係合して上記第１の鏡枠の光軸方向の移動を規制する鏡枠位置規制手段とを具備する。
【００１１】
【作  用】
請求項１による本発明のカメラは、撮影レンズを有する第１の鏡枠が撮影位置と該位置よりも本体側の繰り込み位置との間で移動し、第２の鏡枠が上記第１の鏡枠とともに光軸方向に移動し該第１の鏡枠に対して回転することにより上記撮影レンズを上記光軸方向に駆動させ、鏡枠位置規制手段は、上記第１の鏡枠が上記撮影位置に移動した後、上記第２の鏡枠の回転により該第１の鏡枠の光軸方向の移動を規制する。
【００１４】
【実施例】
以下、図面を参照して本発明の実施例を説明する。
図１から図５は本発明の第１実施例を示したものであり、図１は収納時におけるレンズ鏡枠を示す光軸に沿った断面図、図２は上半分がワイド時、下半分がテレ時における撮影可能な状態のレンズ鏡枠を示す光軸に沿った断面図である。
【００１５】
この実施例における光学系は、正の屈折力を有する第１のレンズ群２と、負の屈折力を有する第２のレンズ群３とを有してなり、いわゆる２群ズームレンズを構成している。
【００１６】
上記第１のレンズ群２と第２のレンズ群３は、それぞれ１群枠４および２群枠５に保持されている。
【００１７】
これら１群枠４と２群枠５は、その周面に突設されたピンが、第１の鏡枠たる移動枠６に穿設された直進孔６ｂを貫通することにより、該移動枠６に対して、光軸Ｏの方向に直進移動可能となるように保持されている。
【００１８】
上記移動枠６の外周側には、回動可能となるようにカメラ本体１に保持された第２の鏡枠たるカム環７が設けられていて、このカム環７の内周面には、上記１群枠４の周面から突設されたピンが係合するカム溝７ｄと、上記２群枠５の周面から突設されたピンが係合するカム溝７ｅとがそれぞれ刻設されている。
【００１９】
これにより、カム環７を回転することで、図２に示すように、ワイドとテレの間をズーミングすることができるようになっている。
【００２０】
一方、この実施例におけるレンズ鏡枠は、図１に示すような、上記ワイド状態よりもさらに繰り込んで全長を縮めたコンパクトな収納状態に移行することが可能となっている。
【００２１】
すなわち、上記カメラ本体１の前端部には鏡枠位置規制手段であり鏡枠係止手段たるロック爪１１が取り付けられており、このロック爪１１とカメラ本体１との間には第２の駆動手段たるズームギヤー９が回転可能に保持されている。
【００２２】
このズームギヤー９は、上記カム環７の後端部周面に設けられた歯車７ａと噛合して、該カム環７を回動するためのものである。さらにこのカム環７の歯車７ａの前方近傍には、後で詳しく説明するように、上記ロック爪１１と係合するためのリブ７ｂが周方向に形成されている。
【００２３】
また、上記カメラ本体１の前端部には押え板１０が取り付けられており、この押え板１０とカメラ本体１との間には第１の駆動手段たる送りねじ軸８が回転可能に保持されている。
【００２４】
この送りねじ軸８は、上記移動枠６の後端部に螺刻された雌ねじ部６ａと噛合して、該移動枠６を光軸Ｏの方向に進退させるものである。
【００２５】
これにより、この送りねじ軸８が回転すると、移動枠６は、カメラ本体１の内部に繰り込まれた位置である収納位置と、この収納位置から繰り出された位置である所定位置との間を、光軸Ｏの方向に進退して移動することが可能となっている。
【００２６】
移動枠６が、上記所定位置にあるときにズームギヤー９を回転させると、カム環７が回転して撮影可能状態の内のワイド状態に移行し、さらに回転させることによりズーミングが行われてテレ状態に移行するようになっている。
【００２７】
次に、上記図１および図２、さらに図３から図５を参照して、本実施例におけるレンズ鏡枠のロック機構を説明する。
【００２８】
図３から図５はロック爪１１とカム環７のリブ７ｂの位置関係を示したものであり、図３はカム環が収納位置に回転したとき、図４はカム環がワイド位置に回転したとき、図５はカム環がテレ位置に回転したときの状態をそれぞれ示したものである。
【００２９】
まず、収納状態から撮影可能状態へのレンズ鏡枠の繰り出しについて説明する。
【００３０】
図１に示すような収納状態において、送りねじ軸８が回転すると、移動枠６によってレンズ鏡枠が光軸Ｏの方向に移動して所定位置に達する。
【００３１】
すなわち、カム環７のリブ７ｂには、図３に示すような略矩形の切欠部７ｃが形成されていて、この切欠部７ｃによりロック爪１１を通過させることで、該リブ７ｂは、ロック爪１１の前方となる所定位置まで移動する。このカム環７における所定位置とは、回転方向の位置は上記収納位置と同じとなり、光軸方向の位置は撮影可能状態と同じとなる位置である。
【００３２】
このような所定位置の状態となったら、次に、ズームギヤー９を回転させることによって、回転位置が収納位置のままであったカム環７を図４に示すようなワイド位置に回転させる。これにより、レンズ鏡枠は、図２の上半分に示すようなワイド状態にセットされる。
【００３３】
このワイド状態においては、ロック爪１１は、図２および図４に示すように、リブ７ｂと歯車７ａの間に保持されることになり、例えば外力を受けた場合においても、カム環７の光軸方向の位置を保つことが可能となる。
【００３４】
上記ワイド状態からさらにズームギヤー９を回転させると、１群枠４および２群枠５がカム環７のカム溝７ｄ，７ｅに沿って光軸方向に移動して、図５に示すようなテレ状態へ向かう。
【００３５】
こうしてカム環７がテレ状態となった場合にも、図２および図５に示すように、ロック爪１１がリブ７ｂと歯車７ａの間に保持されたままの状態であるので、該カム環７の光軸方向の位置は、同様に維持される。
【００３６】
次に、上記撮影可能状態から収納する場合には、全く逆に、まずカム環７を上記と逆方向にテレ側からワイド側へ回転させて、さらに図３に示すような所定位置まで戻し、次に、送りねじ軸８をやはり上記と逆方向に回転させることによりレンズ鏡枠をカメラ本体１の内部に繰り込んで収納位置に戻す。
【００３７】
なお、本実施例では、ロック爪１１を通過させるための切欠部７ｃを、カム環７のリブ７ｂに１つ設けたが、これに限るものではなく、複数設けてもよい。
【００３８】
また、本実施例では、カム環７のリブ７ｂと歯車７ａとでロック爪１１を挟み込むことにより保持するように構成したが、リブ７ｂと歯車７ａの間に他のリブを設けて、これら２つのリブの間にロック爪１１を挟みこむように構成しても構わない。
【００３９】
このような第１実施例によれば、レンズ鏡枠が撮影位置にある場合には、その光軸方向の位置は保持されているので、例え外力を加えられた場合であっても、該レンズ鏡枠が撮影不能となる収納位置に移動してしまうことはなく、不本意な動作を行うことがない。
【００４０】
図６から図１２は本発明の第２実施例を示したものであり、図６は収納時におけるレンズ鏡枠を示す正面図、図７は収納時におけるレンズ鏡枠の半分を示す光軸に沿った断面図、図８はワイド時におけるレンズ鏡枠を示す正面図、図９はワイド時におけるレンズ鏡枠の半分を示す光軸に沿った断面図である。
【００４１】
この第２実施例において、上述の第１実施例と同様である部分については同一の符号を付して説明を省略し、主として異なる点についてのみ説明する。
【００４２】
この実施例のカメラのレンズ鏡枠には、ズームギヤー９，送りねじ軸８等の、レンズ鏡枠のズーミングと収納位置とワイド位置の間の移動に関する機構も、図示はしないが上述の第１実施例と同様に設けられている。
【００４３】
次に、ロック機構について説明する。
【００４４】
この実施例のカメラ本体２１，第１の鏡枠たる移動枠２６，第２の鏡枠たるカム環２７は、上述の第１実施例におけるカメラ本体１，移動枠６，カム環７とほぼ同様に構成されているが、ロック機構に関する部分のみが異なっている。
【００４５】
すなわち、カム環２７には、歯車２７ａが周方向に設けられるとともに、鏡枠位置規制手段であり鏡枠係止手段たるロック板２２を駆動するための突起２７ｂが周面から突設されている。この突起２７ｂは、正面からみたときの形状が略台形になるように形成されていて、その一方の側面には、傾斜がより緩やかな斜面２７ｃが設けられている。
【００４６】
また、移動枠２６は、後端部が一旦外周方向に突出した後、再び前方に向かって曲折しており、断面が図７に示すようにコの字状に形成されている。そして、このコの字形状をなす部分の先端部に、ロック板２２が、光軸Ｏと平行な方向に植立された軸２４によって回動自在に取り付けられている。
【００４７】
このロック板２２は、先端部に係合用の円形部が形成された駆動用腕部２２ａと、この駆動用腕部２２ａの反対方向からやや傾斜して突設された略矩形の腕部でなるロック用腕部２２ｂとを有してなる。
【００４８】
上記軸２４には例えばコイルばねでなるロックばね２３が挿通されていて、その一端をロック板２２の駆動用腕部２２ａに掛けるとともに、他端を移動枠２６に植立されたピンでなるばね掛け２６ｂに掛けることによって、ロック板２２を図６中時計周りに付勢するようになっている。
【００４９】
また、上記ロック板２２のロック用腕部２２ｂが当接可能なカメラ本体２１の位置には、光軸方向に長いリブ状の受部２１ａが内径方向に突設されるとともに、その先端側に略矩形のストッパ部２１ｂが設けられている。
【００５０】
次に、この第２実施例のロック機構の作用を説明する。
【００５１】
図６に示すように、カム環２７の回転位置が収納状態であるときは、ロック板２２は、駆動用腕部２２ａが、カム環２７の突起２７ｂに乗り上げた状態でロックばね２３の付勢力により当接している。
【００５２】
この状態ではロック板２２のロック用腕部２２ｂは、カメラ本体２１の受部２１ａとは接触していない。それゆえに、図示しない送りねじ軸を回転させることにより、移動枠２６を収納状態から所定位置まで光軸方向に移動させても、この移動の動作が何等阻止されることはない。
【００５３】
こうしてレンズ鏡枠が繰り出されて所定位置になったときには、ロック板２２のロック用腕部２２ｂは、カメラ本体２１の受部２１ａを過ぎて、ストッパ部２１ｂに当接可能な位置に達している。
【００５４】
このような所定位置になると、図示しないズームギヤーを回転させることにより、カム環２７が光軸周りに回転する。こうしてカム環２７がワイド位置まで回転して撮影可能となった状態を、図８および図９に示す。
【００５５】
カム環２７がワイド位置まで回転すると、カム環の突起２７ｂは、ロック板２２の腕部２２ａと当接する位置からはすでに移動して過ぎている。すると、ロック板２２は、ロックばね２３の付勢力により時計周りに回転して、図８に示すように、カメラ本体２１のストッパ部２１ｂに、ロック用腕部２２ｂが当接した状態で保持される。
【００５６】
この状態では、ロック板２２のロック用腕部２２ｂは、カメラ本体２１の受部２１ａに対して、光軸方向に対向して接触する位置となっている。それゆえに、この状態においてレンズ鏡枠を前方から外力により押圧されたとしても、ロック板２２が、カメラ本体２１の受部２１ａに当接してその光軸方向の位置を規制するために、レンズ鏡枠が収納方向に繰り込まれてしまうことはない。
【００５７】
この位置規制は、カム環２７をさらに回転させてテレ状態になったときも、同様に維持される。
【００５８】
次に、レンズ鏡枠をカメラ本体２１の内部に収納するときの動作について説明する。
【００５９】
カム環２７を上述とは逆方向に回転させることにより、ワイド位置から所定位置まで回転する。
【００６０】
このとき、ロック板２２は、駆動用腕部２２ａがカム環２７の斜面２７ｃに沿って突起２７ｂに乗り上げることにより、図８中反時計周りに回転させられる。これにより、ロック用腕部２２が受部２１ａおよびストッパ部２１ｂから外れて、カメラ本体２１とロック板２２の係合が解かれる。
【００６１】
この状態となったら、図示しない送りねじ軸を繰り出し時とは反対方向に回転させることにより、レンズ鏡枠がカメラ本体２１の内部に収納される。
【００６２】
なお、本実施例では、レンズ鏡枠を繰り出したときに、ロック板２２が回転するのを係止するためのストッパ部２１ｂを設けたが、該ストッパ部２１ｂを設けなくても、例えば図１０に示すように、カメラ本体２１の上記受部２１ａを斜面２１ｄとして形成すれば、ロック板２２とカメラ本体２１をガタなく位置決めすることができる。
【００６３】
また、本実施例では、繰り込み方向の外力を受けた場合に対応する構成だけを示しているが、例えば図１１に示すように、カメラ本体２１にコの字状の溝をなす受部２１ｅを形成すれば、繰り込み方向および繰り出し方向の両方向について、レンズ鏡枠が移動するのをロックすることが可能となる。
【００６４】
この場合にも、図１２に示すように、両側に斜面を有する受部２１ｆとして形成すれば、繰り出し方向および繰り込み方向の両方向に対して、ガタなく位置決めすることができる。
【００６５】
あるいは、受部２１ｅは上記図１１に示したような形状のまま両側面を垂直にしておいて、この受部２１ｅに当接するロック板２２の側面を斜面に形成しても、同様の効果を奏することができる。さらには、受部２１ｅとロック板２２の両方を斜面に形成すれば、接触する部分の面積が増して、より大きな外力に耐えられるようになってよい。
【００６６】
加えて、ロック板２２の側に溝状の受部を形成して、カメラ本体２１の側にリブ等の突出する部分を形成してもよいことはいうまでもない。
【００６７】
係止力をさらに高めるために、上述のようなロック機構を、移動枠２６の複数箇所に設けることも、もちろん可能である。
【００６８】
このような第２実施例によれば、上述の第１実施例とほぼ同様の効果を奏するとともに、該第１実施例においては、リブと歯車の間にロック爪を挟みこんで係止していたので、ズーミング中に外力を受けた場合にはカム環との間に摩擦力が発生してズーミングの負荷が増大してしまう可能性があったが、本実施例によれば、外力をカメラ本体と移動枠で受けるようにしたために、ズーミング時の負荷が増大することはない。
【００６９】
図１３から図１８は本発明の第３実施例を示したものであり、図１３は収納時のレンズ鏡枠を示す正面図、図１４は収納時のレンズ鏡枠の半分を示す断面図、図１５はレンズ鏡枠が所定位置に繰り出されてかつカム環が収納状態にあるときの正面図、図１６はレンズ鏡枠が所定位置に繰り出されてかつカム環が収納状態にあるときの断面図、図１７はレンズ鏡枠が所定位置に繰り出されてかつカム環がワイド状態にあるときの正面図、図１８はレンズ鏡枠が所定位置に繰り出されてかつカム環がワイド状態にあるときの断面図である。
【００７０】
この第３実施例において、上述の第１，第２実施例と同様である部分には同一の符号を付して説明を省略し、主として異なる点についてのみ説明する。
【００７１】
この実施例のカメラのレンズ鏡枠には、ズームギヤー９，送りねじ軸８等の、レンズ鏡枠のズーミングと収納位置とワイド位置の間の移動に関する機構も、図示はしないが上述の第１実施例と同様に設けられている。
【００７２】
次に、ロック機構について説明する。
【００７３】
この実施例のカメラ本体３１，第１の鏡枠たる移動枠３６，第２の鏡枠たるカム環３７は、上述の第１実施例におけるカメラ本体１，移動枠６，カム環７とほぼ同様に構成されているが、ロック機構に関する部分のみが異なっている。
【００７４】
すなわち、この第３実施例は、上述の第２実施例でレンズ鏡枠の移動枠２６に設けたロック板２２を、カメラ本体側に設けたものである。
【００７５】
カメラ本体３１の取付部３１ａには、光軸Ｏに垂直な方向の軸３４が植立されていて、この軸３２には鏡枠位置規制手段であり鏡枠係止手段たるロックレバー３２が回動可能に取り付けられている。
【００７６】
このロックレバー３２は、その先端部から内径方向に向けて突起部３２ａを突設するとともに、この突起部３２ａの光軸やや後方（図１４の上方）の側面には矩形状の溝３２ｃが形成されている。
【００７７】
上記軸３４には、例えばコイルばねでなるロックばね３３が挿通されていて、その一端をロックレバー３２に掛けるとともに、他端をカメラ本体３１に掛けることによって、該ロックレバー３２を図１４中時計周りに付勢するようになっている。
【００７８】
また、移動枠３６の光軸方向の後端側からは、上記ロックレバー３２の回転を規制するための突起部３６ａが、外周方向に向かって突設されている。
【００７９】
カム環３７は、歯車３７ａが周方向に設けられるとともに、ロックレバー３２の回転位置を規制するための突起３７ｂが周面から突設されている。この突起３７ｂは、正面からみたときの形状が略台形になるように形成されていて、その一方の側面には傾斜がより緩やかな斜面３７ｄが図１３に示すように設けられ、さらに光軸前方側の面にも、傾斜が緩やかな斜面３７ｃが図１４に示すように設けられている。
【００８０】
次に、この第３実施例のロック機構の作用を説明する。
【００８１】
図１３，図１４に示すような、レンズ鏡枠がカメラ本体３１に収納された状態では、ロックレバー３２は、その軸３４周りの図１４中時計方向の回転を移動枠３６に設けられた突起部３６ａにより規制されるために、先端に設けられた駆動用の突起部３２ａがカム環３７に接触することはない。
【００８２】
これにより、レンズ鏡枠を繰り出しているときに、カム環３７に突起部３２ａが接触して擦れるようなことはなく、スリ傷等がつくことはない。
【００８３】
図示しない送りねじ軸を回転することによりレンズ鏡枠を光軸方向に繰り出して行くと、ロックレバー３２の突起部３２ａは、カム環３７の周面から突設された突起３７ｂの斜面３７ｃに当接する。
【００８４】
さらにレンズ鏡枠を所定の位置まで繰り出すと、ロックレバー３２の突起部３２ａは、図１５，図１６に示すように斜面３７ｃに沿って突起３７ｂに乗り上げる状態となる。
【００８５】
このときには、ロックレバー３２は、カム環３７の突起３７ｂにより、軸３４周りの図１４中時計方向の回転を規制されることになる。
【００８６】
次に、図示しないズームギヤーが回転して、カム環３７が収納位置からワイド位置に回転されると、その突起３７ｂは、図１５の時計方向に回転されて、ロックレバー３２の突起部３２ａと当接する位置から退避する。
【００８７】
これによりロックレバー３２は、ばね３３の付勢力によって図１８中時計周りに回転して、図１７，図１８に示すように、該ロックレバー３２の溝３２ｃが移動枠３６の突起部３６ａと係合して、同移動枠３６の光軸方向の移動を規制する。
【００８８】
なお、このときには突起部３２ａと歯車３７ａおよびカム環３７の周面との間には隙間が形成されるようになっていて、これらが互いに直接接触することはないために、ズーミングにおけるカム環３７の回転が阻害されることはない。
【００８９】
次に、レンズ鏡枠をカメラ本体３１の内部に収納するときの動作について説明する。
【００９０】
レンズ鏡枠を収納するときは、図示しないズームギヤーを上述とは逆方向に回転することにより、まずカム環３７を収納位置まで回転させる。このとき、ロックレバー３７は、上記斜面３７ｄに沿って突起３７ｂに乗り上げることにより、図１８中反時計周りに回転させられて、図１６に示すような所定位置の状態になる。
【００９１】
この状態になったら、図示しない送りねじ軸を繰り出すときと反対方向に回転することにより、図１４に示すように、レンズ鏡枠がカメラ本体３１の内部に収納される。
【００９２】
なお、ロックレバー３２の溝３２ｃと移動枠３７の突起３７ｂは、上述の第２実施例で説明したロック板２２とカメラ本体２１のように、そのどちらか一方、または両方を斜面とすることで、ガタのないロック機構とすることができる。
【００９３】
また、本実施例に示したような機構も、複数箇所に設けても良いのはいうまでもなく、さらに、上記第１から第３実施例の構成を、それぞれ自由に組合わせて使用することも可能である。
【００９４】
このような第３実施例によれば、上述の第１実施例とほぼ同様の効果を奏するとともに、第２実施例と同様に、外力がズーミング駆動に影響を及ぼすことのない機能性に優れたロック機構となる。
【００９５】
本発明のカメラにおけるレンズ鏡枠のロック機構は、あくまでもレンズ鏡枠が外力を受けたときの安全機構であるので、何らかの原因で本機構が故障した場合でも、撮影が可能であることが望まれる。上述の第２，第３実施例において、ロックを掛けるときにはばねの付勢力により従動させて行い、一方、ロックを解除するときにはレンズ鏡枠の動作に連動して強制的に行うようにしているのは、このためである。
【００９６】
すなわち、ロックが解除されている状態において、万が一、ロック板またはロックレバーが動作しなくなった場合でも、レンズ鏡枠の繰り出しや繰り込み、あるいはズーミング等は、全く正常に行うことができる。
【００９７】
また、ロックされている状態において、ロック板またはロックレバーが動作しなくなった場合には、レンズ鏡枠がカメラ本体内に収納されことも有り得るが、ズーミング動作は支障なく行うことができる。
【００９８】
一方、ロックを掛けるときの動作を、レンズ鏡枠の動作に連動して強制的に行うようにした場合には、ロックが解除されている状態において、ロック板またはロックレバーが動作しなくなると、ズーミングを行うことが不可能になってしまう。
【００９９】
このような理由により、上記第２，第３実施例では、ロックを掛けるときの動作は、ばねの付勢力等により従動するようにしたものである。
【０１００】
ただし、カメラの性質上、外力を受けてレンズ鏡枠が引込んでしまうことが絶対に許されない場合には、ロックを強制的に行い、一方、ロックの解除をばね力により従動して行うようにしても良いし、あるいはロックの係止と解除の両方を強制的に行うようにしてももちろんかまわない。
【０１０１】
上述の第１から第３実施例のいずれにおいても、収納動作とズーミング動作を利用したロック機構としたが、これに限るものではなく、ズーミング動作の代わりに例えばフォーカシング動作やあるいは焦点距離切替動作を利用してもよく、この場合にもほぼ同様の構成を適用することにより、同様の効果を奏することができる。
【０１０２】
［付記］
以上詳述したような本発明の上記実施態様によれば、以下のごとき構成を得ることができる。
【０１０３】
（１）  撮影レンズを有する第１の鏡枠と、
上記第１の鏡枠とともに移動可能で、該第１の鏡枠に対して回転することにより上記撮影レンズを光軸方向に駆動させる第２の鏡枠と、
上記第１の鏡枠を撮影位置と該位置よりも本体側の繰り込み位置との間で移動させる第１の駆動手段と、
上記第１の鏡枠が撮影位置に移動した後に、該第１の鏡枠と一体的に設けられた上記第２の鏡枠を回転させる第２の駆動手段と、
駆動された上記第２の鏡枠の位置によって、該第２の鏡枠の移動を許容するか、またはカメラ本体に対して該第２の鏡枠が光軸方向に移動するのを規制する鏡枠ロック手段と、
を具備したことを特徴とするカメラ。
【０１０４】
（２）  上記撮影レンズは焦点位置調節レンズであって、上記第２の駆動手段は焦点位置調節手段であることを特徴とする付記１に記載のカメラ。
【０１０５】
（３）  上記撮影レンズは焦点距離調節レンズを含んでいて、上記第２の駆動手段は焦点距離調節手段であることを特徴とする付記１に記載のカメラ。
【０１０６】
（４）  上記鏡枠ロック手段は、
カメラ本体に設けられたロック部材と、
上記第２の鏡枠に設けられていて、上記第１の鏡枠が光軸方向に移動する際には上記ロック部材の通過を許容する切欠部と、該第２の鏡枠が所定の位置に回転した際には該ロック部材とともに該第２の鏡枠の光軸方向の移動を阻止する溝部とを有するフランジ手段と、
を有してなることを特徴とする付記１に記載のカメラ。
【０１０７】
（５）  上記鏡枠ロック手段は、
上記第２の鏡枠の外周面に設けられた突起手段と、
上記第１の鏡枠に設けられていて、上記第２の鏡枠の回転に伴う上記突起手段の回転に連動して該第２の鏡枠の光軸方向の移動を許容する位置と光軸上の移動を阻止する位置とに移動可能なロック部材と、
を有してなることを特徴とする付記１に記載のカメラ。
【０１０８】
（６）  上記鏡枠ロック手段は、
上記第１の鏡枠と係合する係合部と上記第２の鏡枠の外周面方向に向かって設けられた突起手段とを有していて、カメラ本体に対して該第１の鏡枠と係合する係合位置とこの係合を解除する解除位置とに回動するロックレバーと、
上記第２の鏡枠の外周面に設けられていて、この第２の鏡枠が第１の位置へ回転した際には上記第１の鏡枠と上記ロックレバーとの係合を解除するとともに第１の鏡枠の移動を可能とし、上記第２の位置へ回転した際には上記第１の鏡枠と上記ロックレバーとが係合することによってその移動を阻止するカム手段と、
を有してなることを特徴とする付記１に記載のカメラ。
【０１０９】
【発明の効果】
以上説明したように本発明のカメラによれば、レンズ鏡枠が撮影位置にあるときは、外力を受けても光軸方向に移動することがない。
【図面の簡単な説明】
【図１】本発明の第１実施例において、収納時におけるレンズ鏡枠を示す光軸に沿った断面図。
【図２】上記第１実施例において、上半分がワイド時、下半分がテレ時における撮影可能な状態のレンズ鏡枠を示す光軸に沿った断面図。
【図３】上記第１実施例において、収納位置に回転したときのカム環のリブとロック爪との位置関係を示す正面図。
【図４】上記第１実施例において、ワイド位置に回転したときのカム環のリブとロック爪との位置関係を示す正面図。
【図５】上記第１実施例において、テレ位置に回転したときのカム環のリブとロック爪との位置関係を示す正面図。
【図６】本発明の第２実施例において、収納時におけるレンズ鏡枠を示す正面図。
【図７】上記第２実施例において、収納時におけるレンズ鏡枠の半分を示す光軸に沿った断面図。
【図８】上記第２実施例において、ワイド時におけるレンズ鏡枠を示す正面図。
【図９】上記第２実施例において、ワイド時におけるレンズ鏡枠の半分を示す光軸に沿った断面図。
【図１０】上記第２実施例において、カメラ本体の受部の第１変形例を示す平面図。
【図１１】上記第２実施例において、カメラ本体の受部の第２変形例を示す平面図。
【図１２】上記第２実施例において、カメラ本体の受部の第３変形例を示す平面図。
【図１３】本発明の第３実施例において、収納時のレンズ鏡枠を示す正面図。
【図１４】本発明の第３実施例において、収納時のレンズ鏡枠の半分を示す断面図。
【図１５】本発明の第３実施例において、レンズ鏡枠が所定位置に繰り出されてかつカム環が収納状態にあるときの、該レンズ鏡枠の半分を示す正面図。
【図１６】本発明の第３実施例において、レンズ鏡枠が所定位置に繰り出されてかつカム環が収納状態にあるときの、該レンズ鏡枠の半分を示す断面図。
【図１７】本発明の第３実施例において、レンズ鏡枠が所定位置に繰り出されてかつカム環がワイド状態にあるときの、該レンズ鏡枠の半分を示す正面図。
【図１８】本発明の第３実施例において、レンズ鏡枠が所定位置に繰り出されてかつカム環がワイド状態にあるときの、該レンズ鏡枠の半分を示す断面図。
【符号の説明】
１，２１，３１…カメラ本体
６，２６，３６…直進枠（第１の鏡枠）
７，２７，３７…カム環（第２の鏡枠）
８…送りねじ軸（第１の駆動手段）
９…ズームギヤー（第２の駆動手段）
１１…ロック爪（鏡枠位置規制手段，鏡枠係止手段）
２２…ロック板（鏡枠位置規制手段，鏡枠係止手段）
３２…ロックレバー（鏡枠位置規制手段，鏡枠係止手段）
【図１】
0003645003.tif 000002
【図２】
0003645003.tif 000003
【図３】
0003645003.tif 000004
【図４】
0003645003.tif 000005
【図５】
0003645003.tif 000006
【図６】
0003645003.tif 000007
【図７】
0003645003.tif 000008
【図８】
0003645003.tif 000009
【図９】
0003645003.tif 000010
【図１０】
0003645003.tif 000011
【図１１】
0003645003.tif 000012
【図１２】
0003645003.tif 000013
【図１３】
0003645003.tif 000014
【図１４】
0003645003.tif 000015
【図１５】
0003645003.tif 000016
【図１６】
0003645003.tif 000017
【図１７】
0003645003.tif 000018
【図１８】
0003645003.tif 000019